Podtech/llm-jp-corpus-v4-ja_patent huggingface dataset:
【手続補正書】
【提出日】平成15年11月25日(2003.11.25)
【手続補正１】
【補正対象書類名】特許請求の範囲
【補正対象項目名】全文
【補正方法】変更
【補正の内容】
【特許請求の範囲】
【請求項１】
原液供給手段（２）と、複数のフィルタキャンドル（１０）が内部に配置された原液室（５）とから成る、フィルタ容器（１２）を備えたビールフィルタにおいて、
前記フィルタキャンドル（１０）からの濾液がそれぞれの排出管（１３ａ〜１３ｅ）を通って少なくとも２つの排出手段（３ａ、３ｂ）に供給されるように前記フィルタキャンドルが排出管（１３ａ〜１３ｅ）によって結合されており、
前記排出管が、前記フィルタキャンドル（１０）に対して垂直な面に互いに平行に配置され両側が閉じられている第１導管を具備しており、
前記フィルタキャンドルが前記第１導管に通じており、
前記第１導管それぞれが、前記第１導管の上方に延びる少なくとも２つのさらなる導管の一方に所定の角度で接続され、かつ、前記少なくとも２つの排出手段（３ａ、３ｂ）に接続されており、
前記第１導管の上方に配置されている前記導管には、その全長にわたり分散配置され、かつ前記導管を前記第１導管と連通する複数の接続点（１４）が設けられていることを特徴とするビールフィルタ。
【請求項２】
排出管をそれぞれ備える前記フィルタキャンドル（１０）のいくつかのグループが前記フィルタ容器（１２）内で一つの上に次を重ねる階層配置されていることを特徴とする、請求項１に記載のビールフィルタ。
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
製品を、その表面処理と、前記製品の表面に放出される液体の蒸気、好ましくは水蒸気と、音波、好ましくは超音波とによって消毒および／または加熱する方法であって、蒸気が放出されるのと同時にキャビテーションを引き起こすことなく超音波を発生させ、個々の分子の移動が殺菌されるバクテリアまたは細菌の寸法を超えるような高い音圧で超音波領域の振動数で振動させることを特徴とする方法。
【請求項２】
同時の超音波発生が、蒸気を超音波発生デバイスに通し、前記蒸気を超音波領域の振動数で振動させることによって提供されることを特徴とする請求項１に記載の方法。
【請求項３】
前記超音波発生デバイスが、ジェット流およびキャビティで形成されることを特徴とする請求項２に記載の方法。
【請求項４】
前記超音波発生デバイスが、蒸気および超音波を発生させるためのホイッスルで形成されることを特徴とする請求項２に記載の方法。
【請求項５】
比較的短い処理時間を特徴とする請求項１乃至４のいずれか１項に記載の方法。
【請求項６】
少なくとも１つの蒸気通路（３）および開口（２）を有する、固体製品、特に固体の食品の表面上の細菌に対抗するための蒸気デバイス（１）を備える請求項１に記載の方法を実施するための消毒および／または加熱をする装置であって、キャビティ（４）が、前記開口（２）の近傍に設けられ、使用中に前記蒸気通路（３）を通ってかなり高い圧力下で水蒸気のジェットが供給されるように構成され、それによって前記開口（２）から放出された水蒸気が、前記キャビティ（４）によって決定される振動数、好ましくは超音波振動数で振動させられるとともに、前記蒸気デバイス（１）が、その内壁が前記蒸気通路（３）の外壁を画定する外側部分（５）と実質的に前記蒸気通路（３）の外壁を画定するとともに前記開口（２）も画定する内側部分（６）とを備えることを特徴とする装置。
【請求項７】
前記キャビティ（４）が、蒸気デバイスの前記開口（２）から調節可能に離隔されていることを特徴とする、請求項６に記載の装置。
【請求項８】
前記キャビティ（４）が、前記開口（２）に隣接して配置され、任意選択で前記開口（２）と一体に形成されることを特徴とする請求項６に記載の装置。
【請求項９】
前記外側部分（５）および前記内側部分（６）が、前記蒸気通路（３）を通って供給される水蒸気が実質的にキャビティによって決定される振動数、好ましくは超音波振動数で振動されるようにして前記キャビティ（４）に向かって移送されるように互いに対して固定されていることを特徴とする請求項６乃至８のいずれか１項に記載の装置。
【請求項１０】
前記キャビティ（４）を伴い、前記蒸気デバイス（１）が、ハートマン（Ｈａｒｔｍａｎｎ）発生器、蒸気ジェットまたはディスク・ジェットであることを特徴とする請求項６乃至９のいずれか１項に記載の装置。
【請求項１１】
前記蒸気デバイスが、ディスク状の本体として形成されていることを特徴とする請求項６乃至１０のいずれか１項に記載の装置。
【請求項１２】
前記蒸気デバイスが、レール状の本体として形成されていることを特徴とする請求項６乃至１０のいずれか１項に記載の装置。
【手続補正書】
【提出日】平成17年1月24日(2005.1.24)
【手続補正１】
【補正対象書類名】特許請求の範囲
【補正対象項目名】全文
【補正方法】変更
【補正の内容】
【特許請求の範囲】
【請求項１】
タッチ・パッドを有している遠隔制御であり、該タッチ・パッドが当該タッチ・パッドのジェスチャーに応じてタッチ・パッド信号を生成する、該遠隔制御；
表示領域を有している表示画面；及び
前記タッチ・パッド及び前記表示画面と連通するコントローラであり、
前記タッチ・パッド信号を受信し、
前記タッチ・パッド信号がゲームを制御するためであるかまたはホーム・エンターテイメント・デバイスを制御するためであるかを決定し、
前記タッチ・パッド信号がゲームを制御するためである場合には、該タッチ・パッド信号に応じてゲーム・アクティビティを実行しかつ該ゲーム・アクティビティの結果を前記表示画面に表示させ、かつ
前記タッチ・パッド信号がホーム・エンターテイメント・デバイスを制御するためである場合には、ホーム・エンターテイメント・デバイス制御機能をイネーブルするように動作する該コントローラ、
を備えていることを特徴とするゲーム及びホーム・エンターテイメント・デバイス遠隔制御システム。
【手続補正書】
【提出日】平成16年1月15日(2004.1.15)
【手続補正１】
【補正対象書類名】明細書
【補正対象項目名】請求項１
【補正方法】変更
【補正の内容】
【請求項１】
生体組織と、身体に由来する液体と、有機ポリイソシアネートに由来する少なくとも一つのＮＣＯ終端親水性ウレタンプレポリマーと、ポリイソシアネートによりキャップされた本質的にすべての水酸基を含むオキシエチレンベースのみのジオール、トリオール、又はポリオールとを含む、有機ヒドロゲル結合物。
【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】  １５から７０重量％の間のパルプフラフと均質に混合された３０から８５重量％の間の超吸収性材料を含む単一の高密度の層を含む単一層の吸収性パッドであって、
前記単一層吸収性パッドの密度が、約０．２８グラム／立方センチメートルより大きく、厚みが、０．５から３．０ミリメートルの間の範囲であるように圧縮されて、吸収容量が、吸収性パッド１グラム当り０．９ｗ／ｖ％生理食塩水で約１４から４０グラムの間であり、５０％圧縮エネルギーで２７２６から３６１５グラム/センチメートルの縁部圧縮を有するものであることを特徴とする吸収性パッド。
【請求項２】  前記吸収性パッドの密度が、約０．３０グラム／立方センチメートルより大きいことを特徴とする請求項１に記載の吸収性パッド。
【請求項３】  前記吸収性パッドの密度が、約０．３２グラム／立方センチメートルより大きいことを特徴とする請求項１に記載の吸収性パッド。
【請求項４】  前記吸収性パッドが、４０から８０重量％の間の超吸収性材料を含むことを特徴とする請求項１から３のいずれかに記載の吸収性パッド。
【請求項５】  前記吸収性パッドが、５０から７５重量％の間の超吸収性材料を含むことを特徴とする請求項１から３のいずれかに記載の吸収性パッド。
【請求項６】  複数の人工繊維を更に含む請求項１から５のいずれかに記載の吸収性パッド。
【請求項７】  複数の担体粒子を更に含む請求項１から６のいずれかに記載の吸収性パッド。
【請求項８】  前記吸収性パッドの厚みが、０．６から２．５ミリメートルの間であることを特徴とする請求項１から７のいずれかに記載の吸収性パッド。
【請求項９】  前記吸収性パッドの厚みが、０．７から２．０ミリメートルの間であることを特徴とする請求項１から８のいずれかに記載の吸収性パッド。
【請求項１０】  前記吸収性パッドの吸収飽和容量が、少なくとも１８グラム０．９ｗ／ｖ％生理食塩水／吸収性パッド１グラムであることを特徴とする請求項１から９のいずれかに記載の吸収性パッド。
【請求項１１】  前記吸収性パッドのゲル強度が、少なくとも０．７５であることを特徴とする請求項１から１０のいずれかに記載の吸収性パッド。
【請求項１２】  前記超吸収性材料が前記吸収性パッド内で勾配を形成するようになっていることを特徴とする請求項１から１１のいずれかに記載の吸収性パッド。
【請求項１３】  前記吸収性パッドは、第１の端部に、該第１の端部と相対する第２の端部よりも多くの超吸収性材料を含むことを特徴とする請求項１２に記載の吸収性パッド。
【請求項１４】  前記吸収性パッドは、第１表面に沿う部分に、該第１表面に対向する第２の表面に沿う部分よりも多くの超吸収性材料を含むことを特徴とする請求項１２に記載の吸収性パッド。
【請求項１５】  前記超吸収性材料の濃度が、前記勾配全体にわたって０．０５から約０．３５グラム／立方センチメートルまで変化することを特徴とする請求項１２から１４のいずれかに記載の吸収性パッド。
【請求項１６】  請求項１から１５のいずれかに記載の吸収性パッドと、該吸収性パッドを包み込むラップ材料との組み合わせ。
【請求項１７】  請求項１から１５のいずれかに記載の吸収性パッドを含む吸収性物品。
【手続補正２】
【補正対象書類名】明細書
【補正対象項目名】００２１
【補正方法】変更
【補正の内容】
【００２１】
典型的には、超吸収性材料は、水中でその重量の少なくとも約１５倍吸収することができ、望ましくは、水中でその重量の約２５倍を超えて吸収することができる。適切な超吸収性材料は、米国ミシガン州ミッドランドにあるＤｏｗ  Ｃｈｅｍｉｃａｌ  Ｃｏｍｐａｎｙ、及びドイツ連邦共和国クレフェルトＤ−４７８０５のＳｔｏｃｋｈａｕｓｅｎ  ＧｍｂＨ＆Ｃｏ．ＫＧのような種々の販売業者から入手可能である。本発明で有用な特定のＳＡＰの１つは、Ｓｔｏｃｋｈａｕｓｅｎ  ＧｍｂＨ＆Ｃｏ．から入手可能なＦＡＶＯＲ（登録商標）ＳＸＭ９５４３である。このＳＡＰは、本発明の吸収性パッド２０においていずれも良好な加工性及び機能性をもたらす。他の適切な種類の超吸収性材料は、１９９７年２月１１日にＭｅｌｉｕｓ他に付与された米国特許第５，６０１，５４２号、１９９９年１２月に出願され、Ｋｉｍｂｅｒｌｙ−Ｃｌａｒｋ  Ｃｏｒｐｏｒａｔｉｏｎに譲渡された米国特許番号０９／４７５，８２９号（米国特許出願公開番号２００１/００４９５１４、２００１年１２月６日公開）、及び１９９９年１２月に出願され、Ｋｉｍｂｅｒｌｙ−Ｃｌａｒｋ  Ｃｏｒｐｏｒａｔｉｏｎに譲渡された米国特許出願番号０９／４７５，８３０号（米国特許出願公開番号２００２/００４５８６９、２００２年４月１８日公開）に記載されており、これらの各々は、引用により本明細書に組み込まれる。
【手続補正３】
【補正対象書類名】明細書
【補正対象項目名】００４４
【補正方法】変更
【補正の内容】
【００４４】
各試料の取り込み時間を試験するために、各試料は以下の手順を使用し、３つの３５ｍｌの放出物を各試料に加えて４種類の各サージ層と共に試験した。コード１〜５に対するこの試験の結果は、図６の表に示しており、コード６〜８に対するこの試験の結果は、図７の表に示している。図６及び図７で分かるように、最も短い一致取り込み時間は、上記の１００ｇｓｍの第２のサージ層を用いて作った試料において観察され、これら各試料の取り込み時間は、互いにかなり一致した。
【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
受容者における蛍光、燐光またはルミネセンスを放つ物質を検出し、画像化するための装置であって、
（a）蛍光、燐光またはルミネセンスを放つ物質を照射する、非白色光源を有する光発生源；
（b）遠位端部と近位端部とをもつ外科用テレスコープ型デバイス；
（c）前記外科用テレスコープ型デバイスの近位端部に近接して配置された第一の端部をもつ焦点レンズ；
（d）前記焦点レンズの第二の端部に結合したカメラ；及び
（e）前記外科用テレスコープ型デバイスの近位端部と前記カメラとの間に挿入された少なくとも一つの部材であって、非白色光源によって伝達された波長の少なくとも一部を除去する前記部材；
を含む前記装置。
【請求項２】
前記部材がホログラフィックノッチフィルターである、請求項1に記載の装置。
【請求項３】
前記外科用テレスコープ型デバイスと前記カメラとの間に配置された少なくとも一つの第二のフィルターをさらに含む、請求項2に記載の装置。
【請求項４】
前記カメラが電荷結合素子カメラを含む、請求項1に記載の装置。
【請求項５】
受容者における蛍光、燐光またはルミネセンスを放つ物質を検出し、画像化するための装置であって、
（a）遠位端部と近位端部とをもつ外科用テレスコープ型デバイス；
（b）前記外科用テレスコープ型デバイスの近位端部に結合したカメラ；及び
（c）前記カメラと前記外科用テレスコープ型デバイスの近位端部との間に挿入されたホログラフィックノッチフィルター；
を含む前記装置。
【請求項６】
前記外科用テレスコープ型デバイスの近位端に近接して配置された第一の端部をもつ焦点レンズをさらに含む、請求項5に記載の装置。
【請求項７】
前記外科用テレスコープ型デバイスに光学的に結合した赤色光発生レーザーまたはレーザーダイオードをさらに含み、前記ホログラフィックノッチフィルターが前記赤色光発生レーザーまたはレーザーダイオードによって伝達された波長だけを実質的に偏向させる、請求項5に記載の装置。
【請求項８】
前記光発生源が、白色光源と非白色光源とを含む、請求項1に記載の装置。
【請求項９】
受容者において蛍光、燐光またはルミネセンスを放つ物質を検出するための装置であって、
（a）拡大レンズを含むハウジング；
（b）前記拡大レンズと受容者との間に挿入されたホログラフィックノッチフィルター；及び
（c）蛍光、燐光またはルミネセンスを放つ物質を照射するための光発生源を含む；
前記装置。
【請求項１０】
前記光発生源が、約630 nm〜約635 nmの波長の光を発生するレーザーまたはレーザーダイオードを含む、請求項1に記載の装置。
【請求項１１】
前記赤色光発生レーザーまたはレーザーダイオードが、約630 nm〜約635 nmの波長の光を発生する、請求項7に記載の装置。
【請求項１２】
前記外科用テレスコープ型デバイスが、内視鏡、腹腔鏡、関節鏡、または結腸鏡を含む、請求項1に記載の装置。
【請求項１３】
前記装置が、受容者の切り口または開口部に挿入するように形成された遠位端部を有する外科用顕微鏡を含む、請求項9に記載の装置。
【請求項１４】
前記光発生源が、前記外科用テレスコープ型デバイスに結合しない、請求項1に記載の装置。
【請求項１５】
前記光発生源が、デュアルランプ・キセノン光源である、請求項8に記載の装置。
【請求項１６】
受容者における蛍光、燐光またはルミネセンスを放つ物質を検出する方法であって、
非白色光で物質を照射すること；次いで
非白色光の波長だけを実質的に取り出す少なくとも一つの部材を含む外科用テレスコープ型デバイスを用いて、放出された蛍光、燐光またはルミネセンスを検出すること；
を含む、前記方法。
【請求項１７】
前記外科用テレスコープ型デバイスに結合したカメラで前記物質を画像化することをさらに含む、請求項16に記載の方法。
【請求項１８】
前記外科用テレスコープ型デバイスが内視鏡または腹腔鏡を含む、請求項16に記載の方法。
【請求項１９】
白色光及び非白色光で物質を交互に照射することをさらに含む、請求項16に記載の方法。
【請求項２０】
前記部材が、ホログラフィックノッチフィルターである、請求項16に記載の方法。
【請求項２１】
外科用テレスコープ型デバイスを使用して受容者から蛍光、燐光またはルミネセンスを放つ物質を取り出すことをさらに含む、請求項16に記載の方法。
【請求項２２】
個体の異型細胞を含む組織または癌組織を同定する方法であって、
蛍光コバラミンと、癌であるかまたは異型細胞を含むものと疑われる組織とを接触させること、ここで前記蛍光コバラミンは、一般式：
【化１】
2004525697.tif 000001
｛式中、R1はCN、OH、OH2、CH3、5'-デオキシアデノシンまたは（CH2）pNHC（=S）Yであり；R2、R3、R4、R5、R6及びR7は独立してCONH2またはCO-XmYであり；R8はCH2OH、O（C=O）XmYまたはCH2O（C=O）XmYであり；R9はOHまたはO（C=O）XmYであり；Xは式N（CH2）nNHO（C=O）またはNH-（CH2）n-NHをもつリンカーであり；Yはフルオロフォア、ホスホロフォア、化学ルミネセンス発色団または光発生分子であり；mは0または1であり、nは0〜50であり、pは2〜10であり、但し、R1〜R9基の少なくとも一つはYを含む｝
により表される構造をもち；
前記組織を照射すること；次いで
放出された蛍光、燐光またはルミネセンスを内視鏡、腹腔鏡、関節鏡または結腸鏡で検出すること
を含む、前記方法。
【手続補正書】
【提出日】平成15年11月26日(2003.11.26)
【手続補正１】
【補正対象書類名】特許請求の範囲
【補正対象項目名】全文
【補正方法】変更
【補正の内容】
【特許請求の範囲】
【請求項１】
所与の方向への組織面の伸延及び支持のための装置であって、
前記組織面の間に同組織面を伸延させる構造体を形成するために、ほぼ前記所与の方向に沿って協働接触状態にある複数の部材を含んでおり、同部材は、前記組織面間に連続的に受け入れられる構造とされ、それによって、前記部材が受け入れられるときに前記構造体を形成するようになされた、装置。
【請求項２】
請求項１に記載の装置であって、
各部材が接合面を有しており、接触状態にある同部材の接合面は、前記協働接触を提供する構造とされている、装置。
【請求項３】
請求項２に記載の装置であって、
前記構造体が、各々がほぼ平らな接合面を有している複数のウェーハによって形成されており、一つのウェーハがもう一つ別のウェーハの上に配設されて前記構造体を形成している、装置。
【請求項４】
請求項１に記載の装置であって、
前記組織面が脊椎内の損傷した又は疾患した椎体の後方面及び下方面であり、前記部材が、前記椎体内に連続的に受け入れられて同椎体の前記後方面と前記下方面との間に前記構造体を形成する構造とされている、装置。
【請求項５】
請求項１に記載の装置であって、
前記組織面が脊椎内の対向している椎体の後方終板面及び下方終板面であり、前記部材が、前記椎体間に連続的に受け入れられて同対向する椎体の前記後方終板面と前記下方終板面との間に前記構造体を形成する構造とされている、装置。
【請求項６】
請求項１に記載の装置であって、
前記組織面が損傷した又は破壊した脛骨の面であり、前記部材が、前記面間に連続的に受け入れられてこのような面間に前記柱を形成するようになされた、装置。
【請求項７】
所与の方向への組織面の伸延及び支持のための装置であって、
協働して前記組織面の間にほぼ前記所与の方向の柱を形成する複数の積み重ね可能なウェーハを含んでおり、同ウェーハの各々は接触面を有しており、一つのウェーハの接触面は、前記所与の方向にほぼ直角な摺動方向においてもう一つのウェーハの接触面上に摺動可能に受け入れられることができるようになされている、装置。
【請求項８】
請求項７に記載の装置であって、
ウェーハには、同ウェーハが柱から滑り出さないように抑制する相補的な形状が設けられている、装置。
【請求項９】
請求項８に記載の装置であって、
各ウェーハが、先端縁、後端縁及び２つの横端縁を有しており、ウェーハは、後続のウェーハの軸線方向の移動を制限するために、底面に沿って形成された縁を更に含んでいる、装置。
【請求項１０】
請求項７に記載の装置であって、
ウェーハが、Ｘ線透視によって観察するための放射線不透過性の材料によって標識されている、装置。
【請求項１１】
請求項７に記載の装置であって、
各ウェーハが長さ及び幅を有しており、前記柱内の底部のウェーハを規定しているウェーハの長さが、前記柱内の少なくとも一つの他のウェーハよりも長いようになされた、装置。
【請求項１２】
請求項７に記載の装置であって、
各ウェーハが長さ及び幅を有しており、前記柱内の頂部のウェーハを規定しているウェーハの長さが、前記柱内の少なくとも一つの他のウェーハよりも長いようになされた、装置。
【請求項１３】
請求項１２に記載の装置であって、
前記柱内の前記底部のウェーハを規定している前記ウェーハの長さが、前記柱内の少なくとも一つの他のウェーハよりも長いようになされた、装置。
【請求項１４】
請求項７に記載の装置であって、
前記ウェーハがインプラント材料を含んでいる、装置。
【請求項１５】
請求項１４に記載の装置であって、
一以上のウェーハが、内部に骨充填材を受け入れるための少なくとも一つのオリフィスを有している、装置。
【請求項１６】
請求項１５に記載の装置であって、
前記ウェーハが、骨誘導剤を更に含んでいる、装置。
【請求項１７】
請求項７に記載の装置であって、
前記ウェーハが薬剤治療を含んでいる、装置。
【請求項１８】
請求項７に記載の装置であって、
前記ウェーハの柱の少なくとも一部分を覆っている外側部材を更に含んでいる、装置。
【請求項１９】
所与の方向への組織面の伸延において使用するためのキットであって、
ｉ．互いに接触するようになされた複数の部材と、
ｉｉ．前記部材が、前記所与の方向にほぼ延びている方向において互いに接触状態に配置されるような形態で、前記組織面間に前記複数の部材を連続して挿入するための挿入器と、を含むキット。
【請求項２０】
請求項１９に記載のキットであって、
骨充填材を更に含んでいる、キット。
【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
装置を加圧するための作動機構であって、
ハウジングと、
このハウジングとは別部品であり、かつハウジング内に概ね配置されたキャリア部材と、
前記ハウジングを通して摺動自在に変位可能なねじ付きスクリュー構造と、
部分的ねじ部を有して前記ねじ付きスクリュー構造に対し選択的に螺合および離脱可能である概ね前記キャリア部材内のナット部材と、
前記ナット部材と係合した少なくとも１つのリンク部材と、
前記キャリア部材を前記１つのリンク部材に結合させるリンク構造とを備え、
前記ナット部材と１つのリンク部材は、前記キャリア部材に対し回動可能であり、前記ナット部材は、前記スクリュー構造に対し前記部分的ねじ部の選択的螺合性を与えるように、スクリュー構造に対して選択的に移動可能に構成されていることを特徴とする作動機構。
【請求項２】
前記ハウジングは、一端部を有し、前記キャリア部材は、前記ハウジングの前記端部に近い開口内に配置されていることを特徴とする請求項１に記載の作動機構。
【請求項３】
前記ハウジングは、圧力ゲージを直接ねじ穴に受け入れるように構成された逆端部を有することを特徴とする請求項２に記載の作動機構。
【請求項４】
前記ハウジングは、逆端部を有し、前記作動機構は更に、前記逆端部に圧力ゲージを備えることを特徴とする請求項２に記載の作動機構。
【請求項５】
前記キャリア部材は、差し込み構成を介して前記ハウジングと保持可能に係合されるように構成されていることを特徴とする請求項１に記載の作動機構。
【請求項６】
前記キャリア部材は、ラッチ指を有することを特徴とする請求項５に記載の作動機構。
【請求項７】
前記ハウジングは、前記キャリア部材上の前記ラッチ指と係合する少なくとも１つの起立されたリブを有することを特徴とする請求項６に記載の作動機構。
【請求項８】
前記ナット部材は二分岐され、前記ナット部材の前記部分的ねじ部から延びた一対の離れて対向する取付部を与えることを特徴とする請求項１に記載の作動機構。
【請求項９】
前記取付部は、一対の隣接して配置されたリンク部材によって、前記ハウジングに結合されており、前記リンク部材は、別々に前記取付部に結合されて、それらの間に配置されると共に、前記ナット部材の並進運動をガイドするために縦列動作可能であることを特徴とする請求項８に記載の作動機構。
【請求項１０】
前記ナット部材は、係合位置と離脱位置との間を走行する際に、１つの平面内で、先細りする湾曲経路を移動するように構成されていることを特徴とする請求項１に記載の作動機構。
【請求項１１】
前記キャリア部材は、前記ハウジングの穴に受け入れられるものであり、前記穴の半径は、前記ねじ付きスクリュー構造の中心線から前記キャリア部材に係合する前記リンク部材へ至る距離よりも大きいことを特徴とする請求項１に記載の作動機構。
【請求項１２】
前記ねじ付きスクリュー構造は、第１の端部と、この第１の端部に対向する第２の端部とを有し、前記ねじ付きスクリュー構造の前記第１の端部は、ハンドルを提供し、前記作動機構は更に、ピストンを備え、このピストンは、前記ねじ付きスクリュー構造の前記第２の端部に係合されることを特徴とする請求項１に記載の作動機構。
【請求項１３】
前記ハウジングは、流体変位室を設け、前記キャリア部材は、半径を有する穴を有し、前記流体変位室は、半径を有する穴を有し、前記キャリア部材の穴の半径は、前記流体変位室の穴の半径以上であることを特徴とする請求項１に記載の作動機構。
【手続補正書】
【提出日】平成17年2月2日(2005.2.2)
【手続補正１】
【補正対象書類名】特許請求の範囲
【補正対象項目名】全文
【補正方法】変更
【補正の内容】
【特許請求の範囲】
【請求項１】
歯に取り付けるための歯科矯正装置であって、
外面を有するベースと、
前記外面から離れる方向に前記ベースから延在する本体と、
アーチワイヤを受けるための前記本体の隣のスロットと、
前記ベースを通って延在する通路と、
前記通路内で延在するエレメントと、を含み、前記エレメントが光硬化性歯科矯正用接着剤の硬化を開始するに十分な波長を有する化学線を透過する材料から作製される歯科強制装置。
【手続補正書】
【提出日】平成17年2月15日(2005.2.15)
【手続補正１】
【補正対象書類名】特許請求の範囲
【補正対象項目名】全文
【補正方法】変更
【補正の内容】
【特許請求の範囲】
【請求項１】
不適当な線維症または瘢痕形成によって少なくとも部分的に特徴付けられる状態への素因のインビトロ診断または検出方法であって、対象となる患者由来のＺＦ９遺伝子を検査して、Ｚｆ９遺伝子の翻訳開始の３’の１０２２塩基の位置におけるアデノシンからグアノシンへの遺伝子多型の存在を検出することを含む方法。
【請求項２】
アデノシンからグアノシンへの遺伝子多型の存在が、以下のヌクレオチド配列：
【数１】
2004525629.tif 000001
（配列番号１）
をもつＤＮＡの領域において検査される請求項１に記載の方法。
【請求項３】
該状態が、デュピュイトラン病である請求項１または２に記載の方法。
【請求項４】
該状態が、ケロイドまたは肥厚性瘢痕である請求項１または２に記載の方法。
【請求項５】
該状態が、強皮症；全身性硬化症；クレスト症候グループ；皮膚斑点を伴う結節硬化症；家族性皮膚コラーゲン腫；皮膚の代謝および免疫疾患；好酸球筋膜炎；円板状エリテマトーデス；皮膚筋炎；混合結合組織疾患；薬物誘発性皮膚線維症；口腔粘膜下線維症；食事および環境によって誘発される線維症；肺／心臓線維症；肝線維症／硬変；腎線維症；薬物誘発性線維症；中枢および末梢神経系線維症；血管系線維症；男性および女性尿生殖器線維症；および女性線維症のいずれか１つである請求項１または２に記載の方法。
【請求項６】
該状態が、肝硬変、肝線維症、糸球体腎炎、肺線維症、嚢胞性繊維症、強皮症、心筋線維症、心筋梗塞後の線維症および脳卒中後の中枢神経系線維症または神経変性疾患のいずれか１つである請求項１または２に記載の方法。
【請求項７】
ＺＦ９遺伝子およびその調節エレメントが、ゲノムＤＮＡ由来である前記請求項のいずれかに記載の方法。
【請求項８】
ゲノムＤＮＡが、血液または組織サンプルから単離される請求項７に記載の方法。
【請求項９】
遺伝子多型の存在が、ポリメラーゼ鎖反応（ＰＣＲ）による少なくとも１つのＤＮＡ断片の増幅の後に決定される前記請求項のいずれかに記載の方法。
【請求項１０】
ＤＮＡを、
フォワードプライマー：
【数２】
2004525629.tif 000002
（配列番号３）；および
リバースプライマー：
【数３】
2004525629.tif 000003
（配列番号４）
を用いるＰＣＲ増幅に付す請求項９に記載の方法。
【請求項１１】
ＺＦ９遺伝子およびその調節エレメントを、制限酵素切断およびサイズ分析によって検査する前記請求項のいずれかに記載の方法。
【請求項１２】
（Ａ）不適当な線維症または瘢痕形成によって特徴付けられる状態に関連する、Ｚｆ９遺伝子の翻訳開始の３’の１０２２塩基の位置におけるアデノシンからグアノシンへの遺伝子多型を増幅するためのフォワードＰＣＲプライマーおよびリバースＰＣＲプライマー；および
（Ｂ）多型に対する遺伝子型が既知であるコントロールＤＮＡサンプル；
を含む請求項９〜１１のいずれか１つに記載の方法において用いるためのキット。
【請求項１３】
フォワードＰＣＲプライマーが、
【数４】
2004525629.tif 000004
（配列番号３）であり、リバースＰＣＲプライマーが、
【数５】
2004525629.tif 000005
（配列番号４）である請求項１２に記載のキット。
【請求項１４】
キットがさらに、ＤＮＡの断片を作成するための適当な制限酵素を含む請求項１２または１３に記載のキット。
【請求項１５】
キットがさらに、特定の多型と状態との間の関連をまとめるデータカード；および／またはＰＣＲ増幅、ＰＣＲ産物の制限酵素切断およびＤＮＡ断片のアガロースゲル電気泳動のためのプロトコルを含む請求項１２〜１４のいずれか１つに記載のキット。
【請求項１６】
キットがさらに、請求項９〜１１のいずれか１つに記載の方法で用いるための緩衝液を含む請求項１２〜１５のいずれか１つに記載のキット。
【手続補正書】
【提出日】平成15年11月26日(2003.11.26)
【手続補正１】
【補正対象書類名】特許請求の範囲
【補正対象項目名】全文
【補正方法】変更
【補正の内容】
【特許請求の範囲】
【請求項１】
配列番号４を有するコード領域および非コード領域を含む核酸であって、前記コード領域は、テトラヒメナ・サルモフィラ(Tetrahymena thermophila)からのホスホリパーゼＡ1（ＰＬＡ1）をコードし（配列番号５）、かつ、前記非コード領域は、この遺伝子の上流および下流領域を表す、前記核酸。
【請求項２】
前記非コード上流および下流領域は、配列番号２および３を有し、かつ、コード領域は、配列番号１、８および／または９を有する、請求項１に記載の核酸。
【請求項３】
配列番号６の配列を有する、請求項１に記載のＰＬＡ1（配列番号５）のＮ−末端シグナル配列。
【請求項４】
配列番号７に記載のアミノ酸配列を有するホスホリパーゼＡ1蛋白質（ＰＬＡ1）。
【請求項５】
組み換え型蛋白質およびペプチドの相同または非相同発現のための、ならびに、相同または非相同組み換え（“ノック−アウト、“遺伝子置換”）のための、請求項１〜３に記載の核酸またはその一部の使用。
【請求項６】
蛋白質およびペプチドの相同または非相同発現のための、ならびに、相同および非相同組み換え（“ノック−アウト、“遺伝子置換”）のための方法であって、請求項１〜３のいずれかに記載の核酸を、繊毛虫にトランスフェクトする、前記方法。
【請求項７】
前記核酸またはその一部は、蛋白質の相同もしくは非相同発現に通常用いられるエンハンサー、プロモーター、オペレーター、開始点、ターミネーター、抗生物質耐性、または、他の核酸もしくはＤＮＡフラグメント、または、ウイロイド、ウイルス、バクテリア、アルシェゾアン、原生動物、真菌、植物、動物、もしくはヒトからのすべての種類の配列と組み合わせられる、請求項６に記載の方法。
【請求項８】
核酸が、ベクター、プラスミド、コスミド、染色体、またはミニクロモソーム、トランスポゾン、ＩＳエレメント、ｒＤＮＡ、または何らかの他の種類の環状もしくは線状ＤＮＡもしくはＲＮＡ中に含まれる、請求項６または７に記載の方法。
【請求項９】
請求項１〜３の少なくとも１項に記載の核酸を少なくとも１つ含む、ベクター、プラスミド、コスミド、染色体、またはミニクロモソーム、トランスポゾン、ＩＳエレメント、ｒＤＮＡ、または他の種類の環状もしくは線状ＤＮＡもしくはＲＮＡ。
【手続補正書】
【提出日】平成17年3月8日(2005.3.8)
【手続補正１】
【補正対象書類名】特許請求の範囲
【補正対象項目名】全文
【補正方法】変更
【補正の内容】
【特許請求の範囲】
【請求項１】
下記の一般式（Ｉ）で表される非毒性加圧液化噴射剤、微細に分割されて該噴射剤中に懸濁された有効量の薬剤学的活性化合物、並びにパルミチン酸とステアリン酸のカルシウム塩、マグネシウム塩および亜鉛塩から選択される固体状賦形剤を含有する医療用吸入エアゾール配合物：
ＣｘＨｙＦｚ                      （Ｉ）
（式中、ｘは１、２または３の数を示し、ｙおよびｚはそれぞれ１以上の整数を示し、ｙ＋ｚ＝２ｘ＋２である）
【請求項２】
噴射剤が１，１，１，２−テトラフルオロエタン、１，１，１，２，３，３，３−ヘプタフルオロプロパンまたはこれらの混合物を含有する請求項１記載のエアゾール配合物。
【請求項３】
下記の成分（ａ）〜（ｃ）を含有する請求項１または２記載のエアゾール配合物：
（ａ）１，１，１，２−テトラフルオロエタン、１，１，１，２，３，３，３−ヘプタフルオロプロパンおよびこれらの混合物から選択される加圧液化非毒性噴射剤、
（ｂ）微細に分割されて該噴射剤中に懸濁された有効量の薬剤学的活性化合物であって、ホルモテロール、サルメテロール、フェノテロール、クレンブテロール、レヴァルブテロール、イプラトロピウム、オキシトロピウム、グリコピロニウム、チオトロピウム、ブデソニデ、シクレソニド、モメタソン、フルチカソン、ベクロメタソン、フルニソリド、ロテプレドノール、トリアムシノロン、アミロリド、ロフレポニド、サルブタモール、テルブタリン、並びにこれらの薬剤学的に許容される塩および誘導体から選択される薬剤学的活性化合物、および
（ｃ）パルミンチン酸とステアリン酸のカルシウム塩、マグネシウム塩および亜鉛塩から選択される固体状賦形剤。
【請求項４】
下記の成分（ａ）〜（ｅ）から成る請求項１から３いずれかに記載のエアゾール配合物：
（ａ）１，１，１，２−テトラフルオロエタン、１，１，１，２，３，３，３−ヘプタフルオロプロパンおよびこれらの混合物から選択される加圧液化非毒性噴射剤、
（ｂ有効量のブデソニド、
（ｃ）パルミンチン酸カルシウム、ステアリン酸カルシウム、パルミチン酸マグネシウム、ステアリン酸マグネシウム、パルミチン酸亜鉛およびステアリン酸亜鉛から選択される固体状賦形剤、
（ｄ）一酸化二窒素および二酸化炭素から選択される所望による付加的な噴射剤（全配合物に基づいて０．０００１〜１０重量％）、および
（ｅ）所望によるエタノール（全配合物に基づいて０．５重量％までの量）。
【請求項５】
全配合物に基づいて、ブデソニドを０．１〜１重量％および賦形剤を０．００５〜０．２重量％存在させる請求項４記載のエアゾール配合物。
【請求項６】
パルミチン酸およびステアリン酸のカルシウム塩、マグネシウム塩および亜鉛塩から選択されるカルボン酸塩の使用であって、下記の一般式（Ｉ）で表される非毒性加圧液化噴射剤および微細に分割されて該噴射剤中に懸濁された薬剤剤学的活性化合物を含有する医療用吸入懸濁エアゾール配合物における固体状賦形剤としての該カルボン酸塩の使用：
ＣｘＨｙＦｚ                      （Ｉ）
（式中、ｘは１、２または３の数を示し、ｙおよびｚはそれぞれ１以上の整数を示し、ｙ＋ｚ＝２ｘ＋２である）
【手続補正書】
【提出日】平成16年10月29日(2004.10.29)
【手続補正１】
【補正対象書類名】特許請求の範囲
【補正対象項目名】全文
【補正方法】変更
【補正の内容】
【特許請求の範囲】
【請求項１】
ヘルペスウイルス感染症の予防又は治療に用いるための、式(I)：
【化１】
2004525150.tif 000001
[式中、
Ｚは、ＣＨ又はＮであり；
ａは、1又は2であり；
ｂは、1、2又は3であり；
ｃは、1、2又は3であり；
各Ｒ1は、式：
-(Ｘ)ｄ-(ＣＨ2)ｅ-Ｒ5
で表される置換基からなる群から独立して選択され；
ここで、
ｄは、0又は1であり；
ｅは、0〜6であり；
Ｘは、Ｏ、ＮＲ6及びＳ(Ｏ)ｆ[ここで、ｆは0、1又は2である]からなる群から選択され；
Ｒ5は、Ｈ、ハロ、Ｃ1-6アルキル、Ｃ2-6アルケニル、Ｃ2-6アルキニル、シクロアルキル、ヘテロシクリル、アリール、ヘテロアリール、ヒドロキシル、シアノ、ニトロ、トリハロメチル、ＮＲ7Ｒ8、Ｃ6Ｈ4ＮＲ7Ｒ8、Ｃ6Ｈ4(ＣＨ2)ＮＲ7Ｒ8、Ｃ(Ｏ)Ｒ7、Ｃ(Ｏ)ＮＲ7Ｒ8、ＯＣ(Ｏ)Ｒ7、ＯＣ(Ｏ)ＮＲ7Ｒ8、ＣＯ2Ｒ7、ＯＣＯ2Ｒ7、ＳＯ2Ｒ7、ＳＯ2ＮＲ7Ｒ8、Ｃ(=ＮＲ7)ＮＲ7Ｒ8、Ｎ(Ｒ7)[(Ｃ=ＮＲ7)ＮＲ7Ｒ8]、ＮＨＣ(Ｏ)Ｒ7及びＮ(Ｃ1-3アルキル)Ｃ(Ｏ)Ｒ7からなる群から選択され；
各Ｒ2は、Ｈ、シアノ、ハロ、トリハロメチル、ＯＣ1-6アルキル、Ｃ1-6アルキル、Ｃ2-6アルケニル、Ｃ2-6アルキニル、Ｓ(Ｏ)ｇＣ1-6アルキル[ここで、ｇは0、1又は2である]、ＮＣ1-6アルキル(Ｃ1-6アルキル)、ヒドロキシル及びニトロからなる群から独立して選択され；
各Ｒ4は、式：
-(Ｙ)ｄ-(ＣＨ2)ｅ-Ｒ3
で表される置換基からなる群から独立して選択され；
ここで、
ｄは、0又は1であり；
ｅは、0〜6であり；
Ｙは、Ｏ又はＳ(Ｏ)ｆ[ここで、ｆは0、1又は2である]であり；
Ｒ3は、Ｈ、ハロ、Ｃ1-6アルキル、Ｃ2-6アルケニル、Ｃ2-6アルキニル、シクロアルキル、ヘテロシクリル、アリール、ヘテロアリール、ヒドロキシル、シアノ、ニトロ、トリハロメチル、フタルアミド、Ｃ6Ｈ4ＮＲ7Ｒ8、Ｃ6Ｈ4(ＣＨ2)ＮＲ7Ｒ8、Ｃ(Ｏ)Ｒ7、Ｃ(Ｏ)ＮＲ7Ｒ8、ＯＣ(Ｏ)Ｒ7、ＯＣ(Ｏ)ＮＲ7Ｒ8、ＣＯ2Ｒ7、ＯＣＯ2Ｒ7、ＳＯ2Ｒ7、ＳＯ2ＮＲ7Ｒ8及びＣ(=ＮＲ7)ＮＲ7Ｒ8からなる群から選択され；
Ｒ6は、Ｈ、Ｃ1-6アルキル、Ｃ2-6アルケニル、ヘテロアリール、シクロアルキル及びヘテロシクリルからなる群から選択され；
Ｒ7とＲ8は、各々、Ｈ、Ｃ1-8アルキル、Ｃ2-6アルケニル、ＳＯ2Ｃ1-6アルキル、(ＣＨ2)ｍ-シクロアルキル、(ＣＨ2)ｍ-アリール、(ＣＨ2)ｍ-ヘテロシクリル及び(ＣＨ2)ｍ-ヘテロアリール[ここで、ｍは0、1又は2である]からなる群から独立して選択されるか、又は、Ｒ7とＲ8は、それらが結合している窒素原子と一緒にヘテロシクリル基を形成しているが；
ここで、
上記アルキル基、アルケニル基及びアルキニル基は、何れも、ハロ、ヒドロキシル、オキソ、シアノ、ＮＲ7Ｒ8、Ｃ1-6アルキル、ＯＣ1-6アルキル、Ｓ(Ｏ)Ｃ1-6アルキル、Ｓ(Ｏ)2Ｃ1-6アルキル及びＳＯ2ＮＲ7Ｒ8からなる群から選択される3個以下の置換基で場合により置換されていてもよく；
上記シクロアルキル基、ヘテロシクリル基、アリール基及びヘテロアリール基は、何れも、Ｃ1-6アルキル、Ｃ1-6アルコキシ、Ｃ1-6アルキルスルフェニル、Ｃ1-6アルキルスルフィニル、Ｃ1-6アルキルスルホニル、ヒドロキシ、オキソ、メルカプト、ニトロ、シアノ、ハロゲン、Ｃ1-6ペルフルオロアルキル、場合によりＣ1-6アルキルで置換されていてもよいアミノ、場合によりＣ1-6アルキルで置換されていてもよいカルバモイル、ＮＲ7Ｒ8、カルボキシ及び場合によりＣ1-6アルキルで置換されていてもよいアミノスルホニルからなる群から選択される3個以下の置換基で場合により置換されていてもよく；
(Ｒ1)ａが2'位に位置する場合、(Ｒ1)ａは、ＮＲ6-アリール、ＮＲ6-Ｃ6Ｈ4ＮＲ7Ｒ8、ＮＲ6-Ｃ6Ｈ4(ＣＨ2)ＮＲ7Ｒ8、ＮＲ7Ｒ8[ここで、Ｒ7又はＲ8は(ＣＨ2)ｍ-アリールであって、ｍは0である]及びＮ-(アリール)[(Ｃ=ＮＲ7)ＮＲ7Ｒ8]のいずれでもなく；
Ｒ4がＣ-7位に存在する場合、Ｒ4は、ハロ、ヘテロシクリル、アリール、ヘテロアリール、フタルアミド、Ｃ6Ｈ4ＮＲ7Ｒ8及びＣ6Ｈ4(ＣＨ2)ＮＲ7Ｒ8の何れでもない]
で表される化合物またはその製薬上許容される塩、溶媒和物もしくは生理学的に機能的な誘導体を含む医薬組成物。
【手続補正書】
【提出日】平成15年9月26日(2003.9.26)
【手続補正１】
【補正対象書類名】特許請求の範囲
【補正対象項目名】全文
【補正方法】変更
【補正の内容】
【特許請求の範囲】
【請求項１】
一種以上のモノマーの回分式ラジカル重合によるラテックスの調製方法であって、その方法が、重合中に
(a)  一種以上の微細に分散されたモノマーを含む一種以上の微細な分散液、及び
(b)  一種以上の播種ポリマーを含む一種以上の種ラテックス
を伴うことを特徴とする、ラテックスの調製方法。
【請求項２】
少なくとも一種の微細分散液が一種以上の油溶性開始剤を含むことを特徴とする、請求項１記載のラテックスの調製方法。
【請求項３】
せいぜい一種の種ラテックスが一種以上の油溶性開始剤を含むことを特徴とする、請求項１記載のラテックスの調製方法。
【請求項４】
モノマーの少なくとも50質量％がハロゲン化ビニルモノマーから選ばれることを特徴とする、請求項１記載のラテックスの調製方法。
【請求項５】
一種以上のモノマーの合計質量に対する微細に分散された一種以上のモノマーの質量が少なくとも１％の値を有することを特徴とする、請求項１記載のラテックスの調製方法。
【請求項６】
播種ポリマーの少なくとも50質量％がハロゲン化ビニルポリマーから選ばれることを特徴とする、請求項１記載のラテックスの調製方法。
【請求項７】
一種以上の播種ポリマーは素粒子の少なくとも50質量％が400nm未満の直径を有するようなそれらの素粒子の分布を有することを特徴とする、請求項１又は６記載のラテックスの調製方法。
【請求項８】
一種以上のモノマーの合計質量に対する一種以上の播種ポリマーの質量が少なくとも１％の値を有することを特徴とする、請求項１及び６〜７のいずれか１項記載のラテックスの調製方法。
【請求項９】
一種以上のモノマーの合計質量に対する一種以上の播種ポリマーの質量がせいぜい25％の値を有することを特徴とする、請求項１及び６〜８のいずれか１項記載のラテックスの調製方法。
【請求項１０】
重合後に、ラテックスから樹脂の形態の一種以上のポリマーを回収するようにラテックスを処理することを特徴とする、請求項１記載のラテックスの調製方法。
【請求項１１】
樹脂の形態の一種以上のポリマーの回収後に、その粒子サイズを調節するようにこれらの樹脂を処理することを特徴とする、請求項１０記載のラテックスの調製方法。
【請求項１２】
一種以上の微細な分散液が更に互いに独立して、一種以上の機械的安定剤を含有することを特徴とする請求項１記載のラテックスの調製方法。
【請求項１３】
一種以上の種ラテックスが更に互いに独立して、一種以上の機械的安定剤を含有することを特徴とする請求項１記載のラテックスの調製方法。
【請求項１４】
重合中に更に、一種以上の物質そのもの及び／又は一種以上の物質の一種以上の溶液及び／又は一種以上の一種以上の分散液を伴い、該物質が機械的安定剤から選ばれることを特徴とする請求項１記載のラテックスの調製方法。
【請求項１５】
機械的安定剤がC6-C20脂肪アルコール、C6-C20アルカン、飽和脂肪族α,ω-ジカルボン酸のジエステル、及びフタル酸ジエステルから選ばれることを特徴とする請求項１２〜１４のいずれか１項記載のラテックスの調製方法。
【請求項１６】
機械的安定剤が飽和脂肪族α,ω-ジカルボン酸のジエステルから選ばれることを特徴とする請求項１５記載のラテックスの調製方法。
【請求項１７】
請求項１〜９及び１２〜１６のいずれか１項記載の方法により調製されたポリマーラテックス又は請求項１０又は１１記載の方法により調製されたポリマー樹脂を使用することを含む、ポリマー組成物の調製方法。
【請求項１８】
請求項１０又は１１記載の方法により調製されたポリマー樹脂を使用し、該ポリマー樹脂が粉末形態、分散形態又は溶解された形態である、請求項１７記載の方法。
【請求項１９】
ポリマー樹脂が少なくとも80質量％の-CH2-CHCl-単位を含む塩化ビニルポリマーであり、ポリマー組成物がプラスチゾル組成物である、請求項１８記載の方法。
【請求項２０】
請求項１〜９及び１２〜１６のいずれか１項記載の方法により調製されたポリマーラテックス又は請求項１０又は１１記載の方法により調製されたポリマー樹脂を使用することを含む、ポリマー物品の調製方法。
【手続補正書】
【提出日】平成17年2月3日(2005.2.3)
【手続補正１】
【補正対象書類名】特許請求の範囲
【補正対象項目名】全文
【補正方法】変更
【補正の内容】
【特許請求の範囲】
【請求項１】
下記式（Ｉ）：
【化１】
2004525168.tif 000001
（式中、
Aは、CH=CHまたはSであり;
Rは、ナフタレニル、チエニル、またはフェニルから選ばれ、これらは、C1-C3アルキル、CF3、C1-C3アルコキシ、F、Cl、BrまたはOHにより１または２置換されていてもよく；
R1は、HまたはC1-C6アルキルから選ばれれ；
Xは、S、OまたはNR'2から選ばれる、ここにR'はHまたははC1-C6アルキルを示し；
Yは、CHまたはNであり；そして
nは、１〜３の整数である）
により表される化合物、それらのエナンチオマー、ジアステレオマー、ラセミ体もしくは混合物、または医薬として許容できる酸もしくは塩基とこれらの化合物の塩を含んで成る腫瘍の成長を抑制または減少するための医薬組成物。
【請求項２】
前記化合物が、
5-{4-[2-(5-メチル-2-フェニルオキサゾル-4-イル)-エトキシ]-ベンゾ[b]チオフェン-7-イルメチル}-チアゾリジン-2,4-ジオン；
5-{4-[2-(5-メチル-2-(チエン-2-イル)オキサゾル-4-イル)-エトキシ]-ベンゾ[b]チオフェン-7-イルメチル}-チアゾリジン-2,4-ジオン；
5-{4-[2-(5-メチル-2-フェニルオキサゾル-4-イル)-エトキシ]-ナフト-1-イルメチル}-チアゾリジン-2,4-ジオン;
5-{4-[2-(2-(4-フルオロフェニル)-5-メチルオキサゾル-4-イル)-エトキシ]-ベンゾ[b]チオフェン-7-イルメチル}-チアゾリジン-2,4-ジオン;
5-{4-[2-(2-(4-クロロフェニル)-5-メチルオキサゾル-4-イル)-エトキシ]-ベンゾ[b]チオフェン-7-イルメチル}-チアゾリジン-2,4-ジオン;
5-{4-[2-(5-メチル-2-(4-トリフルオロメチルフェニル)-オキサゾル-4-イル)-エトキシ]-ベンゾ[b]チオフェン-7-イルメチル}-チアゾリジン-2,4-ジオン;
5-{4-[2-(2-(4-ヒドロキシフェニル)-5-メチルオキサゾル-4-イル)-エトキシ]-ベンゾ[b]チオフェン-7-イルメチル}-チアゾリジン-2,4-ジオン;
5-{4-[2-(5-メチル-2-(チエン-2-イル)-オキサゾル-4-イル)-エトキシ]-ナフタレン-1-イルメチル}-チアゾリジン-2,4-ジオン；
からなる群から選ばれる、請求項１に記載の医薬組成物。
【請求項３】
RXRアゴニスト組み合わせての請求項１または２に記載の医薬組成物。
【請求項４】
前記RXRアゴニストが9-シスレチノイン酸（9-cis-retinoic acid）である、請求項３に記載の医薬組成物。
【請求項５】
抗腫瘍剤と組み合わせての請求項１または２に記載の医薬組成物。
【請求項６】
前記抗腫瘍薬が、シスプラチン、カルボプラチン、シクロホスファミド、ドセタキセル、パクリタキセル、ブレオマイシン、5-フルオロウラシル、5'-デオキシ-5-フルオロ-N-ペンチルオキシカルボニルシチジン、ドキソルビシンまたはタモキシフェンからなる群から選ばれる、請求項５に記載の医薬組成物。
【請求項７】
請求項１に記載の式（I）の化合物を含んで成る、転移を抑制または減少するための医薬組成物。
【請求項８】
担体および医薬品賦形剤との混合物として請求項１に記載の式（I）の化合物およびRXR作動薬を含んで成り、該活性成分が100:1〜1:100の比で存在する、医薬品組成物。
【手続補正書】
【提出日】平成17年3月11日(2005.3.11)
【手続補正１】
【補正対象書類名】明細書
【補正対象項目名】０００３
【補正方法】変更
【補正の内容】
【０００３】
前記医薬活性成分Ｎ−メチル−Ｎ−［（１Ｓ）−１−フェニル−２−（（３Ｓ）−３−ヒドロキシピロリジン−１−イル）エチル］−２，２−ジフェニルアセトアミド、または薬学的に許容されるその塩の一つ、とくにその塩酸塩は、鎮痛作用、抗炎症作用、抗喘息作用、利尿作用、抗痙攣（anticonvulsive）作用、神経保護作用および鎮咳作用を有し、そしてカッパ−オピエートアゴニストとして、炎症に起因する痛覚過敏症の処置、脳浮腫のうち、供給不十分（低酸素状態）、疼痛状態におけるものの処置、および虚血に起因する二次障害の処置に特に適切である。
【手続補正書】
【提出日】平成17年3月29日(2005.3.29)
【手続補正１】
【補正対象書類名】特許請求の範囲
【補正対象項目名】全文
【補正方法】変更
【補正の内容】
【特許請求の範囲】
【請求項１】
（a）アルキル（アルケニル）オリゴグリコシド、
（b）アルコールポリグリコールエーテル及び／または
（c）ヒドロキシ混合エーテル
を含む界面活性剤溶液で含浸されていることを特徴とする、髪の手入れ及び洗浄のための洗浄用布。
【請求項２】
乾燥した布の洗浄溶液に対する重量比が、1：0.1〜1：4であることを特徴とする、請求項１に記載の洗浄用布。
【請求項３】
洗浄用布が、アルキル（アルケニル）オリゴグリコシドを、湿潤洗浄用布に基づいて0.05〜2重量％の量で含むことを特徴とする、請求項１または２に記載の洗浄用布。
【請求項４】
洗浄用布が、アルキルポリグリコールエーテル及び／またはヒドロキシ混合エーテルを、湿潤洗浄用布に基づいて0.01〜1重量％の量で含むことを特徴とする、請求項１〜３のいずれかに記載の洗浄用布。
【請求項５】
洗浄用布が、水を、湿潤洗浄用布に基づいて10〜70重量％の量で含むことを特徴とする、請求項１〜４のいずれかに記載の洗浄用布。
【請求項６】
洗浄用布が、アルコールを、湿潤洗浄用布に基づいて10〜70重量％の量で含むことを特徴とする、請求項１〜５のいずれかに記載の洗浄用布。
【請求項７】
洗浄用布が、他の典型的な助剤及び添加剤を含むことを特徴とする、請求項１〜６のいずれかに記載の洗浄用布。
【請求項８】
使用前、水で湿潤されることを特徴とする、請求項１〜７のいずれかに記載の洗浄用布。
【請求項９】
手袋の形であることを特徴とする、請求項１〜８のいずれかに記載の洗浄用布。
【請求項１０】
布を、
（a）アルキル（アルケニル）オリゴグリコシド、
（b）アルコールポリグリコールエーテル及び／または
（c）ヒドロキシ混合エーテル
を含む界面活性剤溶液で湿潤し、任意に、溶媒を乾燥によって、洗浄用布の重量に基づいて0.1〜3重量％の残渣含有量まで除去することを特徴とする、請求項１〜９のいずれかに記載の洗浄用布の製造方法。
【手続補正２】
【補正対象書類名】明細書
【補正対象項目名】０００５
【補正方法】変更
【補正の内容】
【０００５】
従って、本発明で解決しようとする最初の課題は、簡単に、清潔に及び素早く使用でき、優れた洗浄効果を有する、特に高い相溶性の界面活性剤を使用した髪の手入れ用の洗浄用布を提供することであった。これらの界面活性剤は、適用後に髪の中に残る調剤を意図しているので、髪繊維が一緒に絡み合う原因にはならなかった。
【手続補正３】
【補正対象書類名】明細書
【補正対象項目名】００１５
【補正方法】変更
【補正の内容】
【００１５】
典型例は、1,2-ヘキセンエポキシド、2,3-ヘキセンエポキシド、1,2-オクテンエポキシド、2,3-オクテンエポキシド、3,4-オクテンエポキシド、1,2-デケンエポキシド、2,3-デケンエポキシド、3,4-デケンエポキシド、4,5-デケンエポキシド、1,2-ドデケンエポキシド、2,3-ドデケンエポキシド、3,4-ドデケンエポキシド、4,5-ドデケンエポキシド、5,6-ドデケンエポキシド、1,2-テトラデケンエポキシド、2,3-テトラデケンエポキシド、3,4-テトラデケンエポキシド、4,5-テトラデケンエポキシド、5,6-テトラデケンエポキシド、6,7-テトラデケンエポキシド、1,2-ヘキサデケンエポキシド、2,3-ヘキサデケンエポキシド、3,4-ヘキサデケンエポキシド、4,5-ヘキサデケンエポキシド、5,6-ヘキサデケンエポキシド、6,7-ヘキサデケンエポキシド、7,8-ヘキサデケンエポキシド、1,2-オクタデケンエポキシド、2,3-オクタデケンエポキシド、3,4-オクタデケンエポキシド、4,5-オクタデケンエポキシド、5,6-オクタデケンエポキシド、6,7-オクタデケンエポキシド、7,8-オクタデケンエポキシド及び 8,9-オクタデケンエポキシド並びにそれらの混合物と、平均1〜50 mol、好ましくは2〜25 mol、更に好ましくは5〜15 mol のエチレンオキシド及び／または1〜10 mol、好ましくは2〜8 mol、更に好ましくは3〜5 mol のプロピレンオキシドと、6〜22個、好ましくは12〜18個の炭素原子を有する飽和及び／または不飽和第一級アルコール、例えば、カプロンアルコール、カプリルアルコール、2-エチルヘキシルアルコール、カプリンアルコール、ラウリルアルコール、イソトリデシルアルコール、ミリスチルアルコール、セチルアルコール、パルミトレイルアルコール、ステアリルアルコール、イソステアリルアルコール、オレイルアルコール、エライジルアルコール、ペトロセリニルアルコール、リノリルアルコール、リノレニルアルコール、エラエオステアリルアルコール、アラキルアルコール、ガドレイルアルコール、ベヘニルアルコール、エルシルアルコール及びブラシジルアルコール並びにそれらの工業用混合物との付加生成物の開環生成物である。